(57)【要約】【課題】引き出し構造において、引き出しの左右にスライドレールのようなスライド機構を取付けてスムーズに出し入れができるとともに、スライド機構が壊れた場合でも引き出しとして使い続けることができること。【解決手段】引き出し構造１において、引き出し３の収納される部分の幅即ち左右の側板４の外側の間隔はキャビネット２の開口部の幅とほぼ同じであり、左右の側板４の外側にはそれぞれ奥行き方向に伸びる溝５が形成され、この溝５の中にスライド機構としての２段式スライドレール６が収容されている。長期間の使用で２段式スライドレール６が壊れてしまった時には、左右の溝５内に収容されている２段式スライドレール６を取り外せば、引き出し３の収納される部分とキャビネット２の間にガタつきが生じることはなくスムーズに出し入れができるので、そのまま通常の引き出しとして使い続けることができる。【選択図】        図１
2004283186.tif 000002
【特許請求の範囲】
【請求項１】
キャビネットと該キャビネット内に収納される引き出しとを具備する引き出し構造であって、
前記引き出しの収納される部分の幅は前記キャビネットの内部側壁間の幅とほぼ同じで、
前記引き出しの両方の側板の外側に奥行き方向に溝を設けて、該１対の溝内にそれぞれ前記引き出しの側板に固定されて前記引き出しとともにスライドする可動部分と前記キャビネットの内部側壁に固定されて前記可動部分をガイドするガイド部分からなるスライド機構を収容したことを特徴とする引き出し構造。
【請求項２】
前記溝が前記引き出しの側板の前端から少し奥に入った位置から設けられていることを特徴とする請求項１に記載の引き出し構造。
【請求項３】
前記スライド機構は、前記可動部分として２段階にスライドする２段式可動レールを用い、前記ガイド部分としてガイドレールを用いた２段式スライドレールであることを特徴とする請求項１または請求項２に記載の引き出し構造。
【発明の詳細な説明】
【０００１】
【発明の属する技術分野】
本発明は、タンス、机等のキャビネットからスライドレール機構によって楽に引き出しを出し入れすることができ、スライドレール機構が壊れても支障なく使い続けることができる引き出し構造に関するものである。
【０００２】
【従来の技術】
【特許文献１】実開平７−７５４０号公報
従来のタンス、机等の家具の引き出しは、キャビネットに設けたガイド部に対して引き出しの掛止部を面接触させてスライドさせることによって出し入れする構造となっている。このため、ガイド部と掛止部の摩擦が大きく、引き出しの出し入れは必ずしも楽なものではなかった。そこで、特許文献１に開示された考案においては、引き出しの両側板の下角部を奥行き方向に切り欠いて、このスペースにキャビネット側に複数個のローラを取付け、引き出し側にこれらのローラ上に載ってスライドする滑りレールを取付けることによって、ローラの回転によって引き出しが前後に移動するため、摩擦が小さく引き出しの出し入れがスムーズになるようにしている。
【０００３】
しかし、この特許文献１に開示された考案においては、勢い良く引き出しを開けると引き出しがキャビネットから抜け落ちてしまうため、引き出しの内容物が散乱したり、引き出しが損傷したり、引き出しが足の上に落下して怪我をしてしまうといった恐れがあった。そこで、引き出しがキャビネットから抜け落ちることなく確実に停止し、しかも引き出しの奥までスムーズに引き出せる引き出し構造が考案された。
【０００４】
この引き出し構造について、図４乃至図６を参照して説明する。図４は従来の引き出しを半分程度引き出した状態を示す斜視図である。図５は従来の引き出しの側板の外側とキャビネットの側板の内側に取付けられた２段式スライドレールの一部を示す部分拡大斜視図である。図６は従来の引き出し構造の縦断面を示す縦断面図である。
【０００５】
図４に示されるように、この引き出し構造１１はキャビネット１２とその中に収納される引き出し１３、及び引き出し１３の両側板１４の外側に取付けられる２段式可動レール１６ａ，１６ｂとキャビネット１２の両側板の内側に取付けられるガイドレール１６ｃからなるスライドレール１６から構成されている。
【０００６】
図５は引き出し１３の前板１９を除いて、２段式可動レール１６ａ，１６ｂとガイドレール１６ｃからなるスライドレール１６の部分を拡大した図であるが、引き出し１３が引き出されるときは、まず中間可動レール１６ｂがガイドレール１６ｃに対してスライドして、側板１４に固定された先端可動レール１６ａと一体に引き出される。中間可動レール１６ｂの後端がガイドレール１６ｃのストッパーに当接して停止すると、続いて先端可動レール１６ａが中間可動レール１６ｂに対してスライドして、側板１４はさらに引き出される。そして、先端可動レール１６ａの後端が中間可動レール１６ｂのストッパーに当接して停止するまで側板１４を引き出すことができるので、引き出し１３の後端いっぱいまで引き出すことができ、しかも引き出し１３がキャビネット１２から抜け落ちる恐れもない。
【０００７】
【発明が解決しようとする課題】
しかしながら、上記従来の引き出し構造１１においては、長期間に亘って頻繁に引き出し１３を出し入れすることによって、２段式可動レール１６ａ，１６ｂとガイドレール１６ｃからなるスライドレール１６が壊れる時が来る。その際に、壊れた部品のみを交換しようとしても部品が手に入らないことが多く、また、スライドレール１６全体を新しいものに取り替えようとしても、図６の断面図に示されるように、引き出し１３の側板１４とキャビネット１２の側壁１２ａとの間の隙間１３ａにぴったり合う寸法の新しいスライドレールを捜し出すのは困難である。さらに、左右のスライドレール１６を両方とも取り外して通常の引き出し１３単体として使おうとしても左右に隙間１３ａがあるため、ガタついて使い物にならない。
【０００８】
このように、従来の引き出し構造１１は、左右のスライドレール１６が一方でも壊れると使用不能になってしまうという問題点があった。
【０００９】
そこで、本発明は、引き出しの左右にスライドレールのようなスライド機構を取付けてスムーズに出し入れができるとともに、スライド機構が壊れた場合でも引き出しとして使い続けることができる引き出し構造を提供することを課題とするものである。
【００１０】
【課題を解決するための手段】
請求項１の発明にかかる引き出し構造は、キャビネットと該キャビネット内に収納される引き出しとを具備する引き出し構造であって、前記引き出しの収納される部分の幅は前記キャビネットの内部側壁間の幅とほぼ同じで、前記引き出しの両方の側板の外側に奥行き方向に溝を設けて、該１対の溝内にそれぞれ前記引き出しの側板に固定されて前記引き出しとともにスライドする可動部分と前記キャビネットの内部側壁に固定されて前記可動部分をガイドするガイド部分からなるスライド機構を収容したものである。
【００１１】
ここで、スライド機構としては、引き出しとともにスライドする可動レールとキャビネットの内部側壁に固定されたガイドレールが組み合わされてなるスライドレールや、引き出しまたはキャビネットの一方に取付けられた複数のローラとこれらのローラが回転してスライドする滑りレールまたはガイドレールからなるスライド機構等が挙げられる。
【００１２】
このように、本発明にかかる引き出し構造においては、引き出しの収納される部分の幅、即ち左右の側板の外側間の幅をキャビネットの収納部の幅とほぼ同じにし、左右の側板の外側に溝を設けてこれらの溝の中にスライド機構を収容することによって、スムーズに引き出しの出し入れができる。そして、スライド機構が壊れた場合には、左右のスライド機構を全て取り外せば、引き出しの収納される部分の幅とキャビネットの収納部の幅とがほぼ同じであるため、左右へのガタつきがなく通常の引き出しとして使い続けることができる。
【００１３】
さらに、複数の引き出しがキャビネットに取付けられている場合、通常の引き出しで立て付けの良いものは、１つの引き出しを押し込むと引き出しの後部の空気が他の引き出しの後部へ回り込んで他の引き出しが押し出されて飛び出してくるという不具合があったが、本発明にかかる引き出し構造においては、引き出しの左右に溝が設けられているため、引き出しの後部の空気はこれらの溝を通って前方に逃げるので、他の引き出しが飛び出すという不具合は起こらない。
【００１４】
このようにして、引き出しの左右にスライド機構を取付けてスムーズに出し入れができるとともに、スライド機構が壊れた場合でも引き出しとして使い続けることができ、溝が空気の逃げ道として役立つ引き出し構造となる。
更に、前記引き出しの収納される部分の幅が、前記キャビネットの内部側壁間の幅とほぼ同じとは、通常、
［引き出しの収納される部分の幅］＜［キャビネットの内部側壁間の幅］
であり、
［キャビネットの内部側壁間の幅］−［引き出しの収納される部分の幅］＝１〜５ｍｍ程度
に設定される。
【００１５】
請求項２の発明にかかる引き出し構造は、請求項１の構成において、前記溝が前記引き出しの側板の前端から少し奥に入った位置から設けられているものである。
【００１６】
洋式タンスや机等においては、引き出しの側板の前端は引き出しの前板によって隠れるので、側板の前端まで溝を設けても引き出しを収納したときの見栄えを損なうことはないが、和式タンスにおいては側板が引き出しの前面まで出ているものがある。かかる引き出しにおいて側板の前端から溝を設けたのでは、引き出しの収納時の見栄えが著しく損なわれてしまう。
【００１７】
そこで、溝を引き出しの側板の前端から少し奥に入った位置から設けることによって、和式タンスの場合でも引き出しの収納時の見栄えを良好に保つことができる。このようにして、スムーズに出し入れができるとともに、スライド機構が壊れた場合でも引き出しとして使い続けることができ、見栄えを損なうこともない引き出し構造となる。
【００１８】
請求項３の発明にかかる引き出し構造は、請求項１または請求項２の構成において、前記スライド機構は、前記可動部分として２段階にスライドする２段式可動レールを用い、前記ガイド部分としてガイドレールを用いた２段式スライドレールであるものである。
【００１９】
溝内に収容するスライド機構として２段式スライドレールを用いることによって、２段式可動レールをいっぱいに伸ばした長さを引き出しの奥行きより長くすることができるので、引き出しを奥まで引き出すことができて非常に使い勝手が良い。
【００２０】
このようにして、引き出しの左右にスライド機構を取付けてスムーズに出し入れができるとともに、引き出しを奥まで引き出すことができて非常に使い勝手が良く、またスライド機構が壊れた場合でも引き出しとして使い続けることができる引き出し構造となる。
【００２１】
【発明の実施の形態】
以下、本発明にかかる引き出し構造の実施の形態について、図１乃至図３を参照して説明する。図１は本実施の形態の引き出し構造において引き出しを半分程度引き出した状態を示す斜視図である。図２は本実施の形態の引き出し構造において引き出しの側板の外側とキャビネットの側板の内側に取付けられた２段式スライドレールが引き出しの側板の溝内に収容された状態を示す部分拡大斜視図である。図３は本実施の形態の引き出し構造の縦断面を示す縦断面図である。
【００２２】
図１に示されるように、本実施の形態の引き出し構造１は、キャビネット２とこのキャビネット２に収納される引き出し３を具備している。引き出し３は、左右の側板４、底板８、前板９、取っ手１０、そして図示されない背板から構成されており、収納される部分の幅即ち左右の側板４の外側の間隔は、キャビネット２の開口部の幅とほぼ同じになっている。これらの左右の側板４の外側には、それぞれ奥行き方向に伸びる溝５が形成されており、この溝５の中に図２に示されるように、可動部分としての先端可動レール６ａ，中間可動レール６ｂ、そしてガイド部分としてのガイドレール６ｃからなるスライド機構としての２段式スライドレール６が収容されている。
【００２３】
先端可動レール６ａは溝５の底部において引き出し３の側板４にねじ止め固定されており、ガイドレール６ｃはキャビネット２の内壁にねじ止め固定されている。以上は、引き出し３の手前側の側板４について説明したが、向う側の側板４においても溝５とスライド機構としての２段式スライドレール６の取付け方法は、左右対称になるだけで全く同様である。
【００２４】
かかる構成を有する本実施の形態の引き出し構造１において、引き出し３が引き出されるときは、まず中間可動レール６ｂがガイドレール６ｃに対してスライドして、側板４の溝５内に固定された先端可動レール６ａと一体に引き出される。中間可動レール６ｂの後端がガイドレール６ｃのストッパーに当接して停止すると、続いて先端可動レール６ａが中間可動レール６ｂに対してスライドして、側板４はさらに引き出される。そして、先端可動レール６ａの後端が中間可動レール６ｂのストッパーに当接して停止するまで側板４を引き出すことができるので、引き出し３の後端いっぱいまで引き出すことができて使い勝手が良く、しかも引き出し３がキャビネット２から抜け落ちる恐れもない。
【００２５】
そして、長期間使い続けてもし２段式スライドレール６が一方でも壊れたときには、先端可動レール６ａの固定ねじを全て外して側板４の溝５内から取り外し、ガイドレール６ｃの固定ねじも全て外してキャビネット２の内壁から取り外すことによって、左右の２段式スライドレール６を引き出し３から取り外してしまう。
【００２６】
ここで、図３の縦断面図に示されるように、溝５の部分以外の左右の側板４の外側の間隔は、キャビネット２の開口部の幅とほぼ同じになっている。したがって、左右の２段式スライドレール６を取り外してしまっても、引き出し３とキャビネット２の間にガタつきが生じることはなくスムーズに出し入れができるので、そのまま通常の引き出しとして使い続けることができる。
【００２７】
さらに、タンスのように複数の引き出しがキャビネットに取付けられている場合、通常の引き出しで立て付けの良いものは、１つの引き出しを押し込むと引き出しの後部の空気が他の引き出しの後部へ回り込んで他の引き出しが押し出されて飛び出してくるという不具合があったが、本実施の形態にかかる引き出し構造１においては、引き出し３の左右に溝５が設けられているため、引き出し３の後部の空気はこれらの溝５を通って前方に逃げるので、他の引き出しが飛び出すという不具合は起こらない。この効果は、左右の２段式スライドレール６を取り外す前においても同様である。
【００２８】
このようにして、引き出し３の左右に２段式スライドレール６を取付けてスムーズに出し入れができるとともに、２段式スライドレール６が壊れた場合でも引き出し３として使い続けることができ、溝５が空気の逃げ道として役立つ引き出し構造１となる。
【００２９】
本実施の形態においては、キャビネット２及び引き出し３の材質について特に言及はしなかったが、通常は木製のキャビネット２及び引き出し３が使用される。しかし、これに限られるものではなく、メラミン樹脂等の合成樹脂やＦＲＰ等の強化プラスティック等、所定の強度と加工性を有する材料ならどのような材料からなるものでも良い。
【００３０】
また、本実施の形態においては、引き出し３の左右の側板４の前端から溝５を設けた場合について説明したが、和式タンス等のように引き出し３の左右の側板４の前端が前面に出るような場合には、側板４の少し奥へ入った部分から溝５を設けるようにすれば、見栄えを損なうこともない。しかし、溝５を左右の側板４の前端から後端まで設けると、引き出し３を閉める場合の空気の圧縮を防止できるが、前板９の後面から２〜１５ｃｍ程度奥へ入った部分から溝５を設ければ、実質的に空気の圧縮の影響は殆んど見られない。
【００３１】
更に、本実施の形態においては、キャビネット２に１つの引き出し３が取付けられた場合について説明したが、本発明にかかる引き出し構造はむしろタンスのように複数の引き出しがキャビネットに取付けられている場合にその効果が大きく現れるものである。即ち、複数の引き出しのうち１つが壊れたからといって、家具全体を新品に買い替えることは中々できないので、壊れたスライド機構を取り外して通常の引き出しとして使い続けることができることが好ましいからである。
【００３２】
引き出し構造のその他の部分の構成、形状、数量、材質、大きさ、接続関係等についても、本実施の形態に限定されるものではない。
本実施の形態においては、引き出しの収納される部分の幅が、キャビネットの内部側壁間の幅とほぼ同じとは、通常、
［引き出しの収納される部分の幅］＜［キャビネットの内部側壁間の幅］
であり、
［キャビネットの内部側壁間の幅］−［引き出しの収納される部分の幅］＝１〜５ｍｍ程度
に設定される。しかし、１〜５ｍｍ程度以上、例えば、５〜１０ｍｍ程度であっても使用できないものではない。
【００３３】
【発明の効果】
以上説明したように、請求項１の発明にかかる引き出し構造は、キャビネットと該キャビネット内に収納される引き出しとを具備する引き出し構造であって、前記引き出しの収納される部分の幅は前記キャビネットの内部側壁間の幅とほぼ同じで、前記引き出しの両方の側板の外側に奥行き方向に溝を設けて、該１対の溝内にそれぞれ前記引き出しの側板に固定されて前記引き出しとともにスライドする可動部分と前記キャビネットの内部側壁に固定されて前記可動部分をガイドするガイド部分からなるスライド機構を収容したものである。
【００３４】
このように、本発明にかかる引き出し構造においては、引き出しの収納される部分の幅、即ち左右の側板の外側間の幅をキャビネットの収納部の幅とほぼ同じにし、左右の側板の外側に溝を設けてこれらの溝の中にスライド機構を収容することによって、スムーズに引き出しの出し入れができる。そして、スライド機構が壊れた場合には、左右のスライド機構を全て取り外せば、引き出しの収納される部分の幅とキャビネットの収納部の幅とがほぼ同じであるため、左右へのガタつきがなく通常の引き出しとして使い続けることができる。
【００３５】
このようにして、引き出しの左右にスライド機構を取付けてスムーズに出し入れができるとともに、スライド機構が壊れた場合でも引き出しとして使い続けることができ、溝が空気の逃げ道として役立つ引き出し構造となる。
【００３６】
請求項２の発明にかかる引き出し構造は、請求項１の構成において、前記溝が前記引き出しの側板の前端から少し奥に入った位置から設けられているものである。
【００３７】
洋式タンスや机等においては、引き出しの側板の前端は引き出しの前板によって隠れるので、側板の前端まで溝を設けても引き出しを収納したときの見栄えを損なうことはないが、和式タンスにおいては側板が引き出しの前面まで出ているものがある。かかる引き出しにおいて側板の前端から溝を設けたのでは、引き出しの収納時の見栄えが著しく損なわれてしまう。
【００３８】
そこで、溝を引き出しの側板の前端から少し奥に入った位置から設けることによって、和式タンスの場合でも引き出しの収納時の見栄えを良好に保つことができる。このようにして、スムーズに出し入れができるとともに、スライド機構が壊れた場合でも引き出しとして使い続けることができ、見栄えを損なうこともない引き出し構造となる。
【００３９】
請求項３の発明にかかる引き出し構造は、請求項１または請求項２の構成において、前記スライド機構は、前記可動部分として２段階にスライドする２段式可動レールを用い、前記ガイド部分としてガイドレールを用いた２段式スライドレールであるものである。
【００４０】
溝内に収容するスライド機構として２段式スライドレールを用いることによって、２段式可動レールをいっぱいに伸ばした長さを引き出しの奥行きより長くすることができるので、引き出しを奥まで引き出すことができて非常に使い勝手が良い。
【００４１】
このようにして、引き出しの左右にスライド機構を取付けてスムーズに出し入れができるとともに、引き出しを奥まで引き出すことができて非常に使い勝手が良く、またスライド機構が壊れた場合でも引き出しとして使い続けることができる引き出し構造となる。
【図面の簡単な説明】
【図１】図１は本実施の形態の引き出し構造において引き出しを半分程度引き出した状態を示す斜視図である。
【図２】図２は本実施の形態の引き出し構造において引き出しの側板の外側とキャビネットの側板の内側に取付けられた２段式スライドレールが引き出しの側板の溝内に収容された状態を示す部分拡大斜視図である。
【図３】図３は本実施の形態の引き出し構造の縦断面を示す縦断面図である。
【図４】図４は従来の引き出しを半分程度引き出した状態を示す斜視図である。
【図５】図５は従来の引き出しの側板の外側とキャビネットの側板の内側に取付けられた２段式スライドレールの一部を示す部分拡大斜視図である。
【図６】図６は従来の引き出し構造の縦断面を示す縦断面図である。
【符号の説明】
１  引き出し構造
２  キャビネット
３  引き出し
４  側板
５  溝
６  スライド機構
６ａ  先端可動レール
６ｂ  中間可動レール
６ｃ  ガイドレール
【図１】
2004283186.tif 000003
【図２】
2004283186.tif 000004
【図３】
2004283186.tif 000005
【図４】
2004283186.tif 000006
【図５】
2004283186.tif 000007
【図６】
2004283186.tif 000008